(57)【特許請求の範囲】
【請求項１】
カウンター天板と、
水栓機能部であって、
吐水口を有する吐水部と、
設置空間の壁面に設けられた第１供給口に接続される第１止水栓と、
前記壁面に設けられた第２供給口に接続される第２止水栓と、
前記第１供給口及び前記第２供給口の一方から供給される水、及び、前記第１供給口及び前記第２供給口の他方から供給される湯を混合することにより、前記吐水口から吐出される湯水の温度を調整する温度調整部と、
前記温度調整部から供給された湯水の流量を調整して前記吐水口から吐出させる流量調整部と、
を有する水栓機能部と、
前記カウンター天板及び前記水栓機能部の下方に設けられ、前記カウンター天板とともに前記水栓機能部を収納する収納空間を形成するカバー部と、
を有するカウンター本体と、
前記第１供給口及び前記第２供給口を覆うように前記壁面に取り付けられ、前記カウンター本体を前記壁面から離間させた状態で前記壁面に保持するカウンター保持部と、
を備え、
前記カウンター保持部の横方向の幅は、前記カウンター本体の横方向の幅よりも狭く、
前記温度調整部は、前記流量調整部の横方向に配置され、
前記第１止水栓及び前記第２止水栓は、開栓及び閉栓を切り替えるための操作部をそれぞれ下方に有し、
前記カバー部には、前記操作部を隠蔽しない非隠蔽部が設けられており、
前記第１止水栓は、前記カウンター本体の後方部に配置され、
前記第２止水栓は、前記第１止水栓の前方に配置されていることを特徴とする水栓カウンター。
【請求項２】
前記カウンター保持部は、前後方向において前記カウンター本体の横方向の中心と重なる位置に配置され、
前記第１止水栓、前記第２止水栓、前記吐水口は、前後方向において前記カウンター保持部と重なる位置に配置され、
前記第１止水栓及び前記第２止水栓は、前記吐水口と前後方向において重ならない位置に配置されていることを特徴とする請求項１記載の水栓カウンター。
【請求項３】
前記第１止水栓は、前記第１供給口の前方に配置され、
前記水栓機能部は、前記第１止水栓及び前記第２止水栓を保持する保持部材を有することを特徴とする請求項１又は２に記載の水栓カウンター。
【請求項４】
前記保持部材は、上方を向く上面を有し、前記第１止水栓の前記操作部及び前記第２止水栓の前記操作部を下方に向け、前記第１止水栓の一部及び前記第２止水栓の一部を前記上面に当接させた状態で保持することを特徴とする請求項３記載の水栓カウンター。
【請求項５】
前記温度調整部と前記第１止水栓と前記第２止水栓とは、前記カウンター本体の横方向の中央よりも右側又は左側に寄せて配置されていることを特徴とする請求項１〜４のいずれか１つに記載の水栓カウンター。
【発明の詳細な説明】
【技術分野】
【０００１】
本発明の態様は、一般的に、水栓カウンターに関する。
【背景技術】
【０００２】
カウンターと水栓装置とを一体化させた水栓カウンターがある。水栓カウンターは、例えば、浴室などに用いられ、壁面に取り付けられた状態で使用される。水栓カウンターには、壁面に設けられた給水口及び給湯口から水及び湯が供給される。
【０００３】
水栓カウンターは、メンテナンスの際などに下流側への水及び湯の流れを止めるため、水用及び湯用の２つの止水栓を有する。２つの止水栓は、一般的に給水口及び給湯口の近傍に接続される。このため、２つの止水栓は、カウンター天板を含むカウンター本体の奥側に配置される。また、この２つの止水栓においては、美観を向上させるために、それぞれ並べて配置されることが好ましい。例えば、特許文献１の水栓カウンターにおいては、カウンター本体の奥側に２つの止水栓がそれぞれ横並びに配置されている技術が開示されている。
【０００４】
一方、水栓カウンターにおいて、カウンター本体を壁面から離間させるとともに、壁面に取り付けられる部分の幅をカウンター本体の幅よりも狭くすることにより、水栓カウンターと壁面との間に隙間を設けることが試みられている。このような水栓カウンターでは、デザイン性の向上を図ることができるとともに、隙間部分に光を通過させ、水栓カウンターの下方を明るくしやすくすることができる。
【０００５】
しかしながら、カウンター本体を壁面から離間させると、カウンター本体より奥側に横方向に並ぶ２つの止水栓からカウンター本体の先端までの長さが長くなる。このため、各止水栓が見付け難くなってしまう。
【０００６】
また、これを防ぐために、横方向に並ぶ２つの止水栓をカウンター本体に配置することも考えられる。しかしながら、水栓カウンターの正面からの操作性を確保するためにカウンター本体に吐水される水の温度調整部及び流量調整部をそれぞれ縦方向でなく横方向に配置させた水栓カウンターにおいては、カウンター本体の横方向の長さが大きいものであり、このような水栓カウンターにおいて各止水栓をカウンター本体における横方向に並べて配置した際に、さらに横方向のスペースが必要となってしまう。これにより、カウンター本体の横幅がさらに長くなり、カウンター本体の横方向がさらに大型化してしまい、水栓カウンターのデザイン性が悪くなってしまう。
【０００７】
このため、水栓カウンターにおいては、水栓カウンターが取り付けられた壁面との間に隙間を設けた場合にも、カウンター本体の横方向の大型化を抑制しつつ、メンテナンス性を向上させることが望まれる。
【先行技術文献】
【特許文献】
【０００８】
【特許文献１】特開２００４−１１３５１０号公報
【発明の概要】
【発明が解決しようとする課題】
【０００９】
本発明は、かかる課題の認識に基づいてなされたものであり、両端近傍において水栓カウンターが取り付けられた壁面との間に隙間を有した状態で、大型化を抑制しつつ、メンテナンス性を向上させた水栓カウンターを提供することを目的とする。
【課題を解決するための手段】
【００１０】
第１の発明は、カウンター天板と、水栓機能部であって、吐水口を有する吐水部と、設置空間の壁面に設けられた第１供給口に接続される第１止水栓と、前記壁面に設けられた第２供給口に接続される第２止水栓と、前記第１供給口及び前記第２供給口の一方から供給される水、及び、前記第１供給口及び前記第２供給口の他方から供給される湯を混合することにより、前記吐水口から吐出される湯水の温度を調整する温度調整部と、前記温度調整部から供給された湯水の流量を調整して前記吐水口から吐出させる流量調整部と、を有する水栓機能部と、前記カウンター天板及び前記水栓機能部の下方に設けられ、前記カウンター天板とともに前記水栓機能部を収納する収納空間を形成するカバー部と、を有するカウンター本体と、前記第１供給口及び前記第２供給口を覆うように前記壁面に取り付けられ、前記カウンター本体を前記壁面から離間させた状態で前記壁面に保持するカウンター保持部と、を備え、前記カウンター保持部の横方向の幅は、前記カウンター本体の横方向の幅よりも狭く、前記温度調整部は、前記流量調整部の横方向に配置され、前記第１止水栓及び前記第２止水栓は、開栓及び閉栓を切り替えるための操作部をそれぞれ下方に有し、前記カバー部には、前記操作部を隠蔽しない非隠蔽部が設けられており、前記第１止水栓は、前記カウンター本体の後方部に配置され、前記第２止水栓は、前記第１止水栓の前方に配置されていることを特徴とする水栓カウンターである。
【００１１】
この水栓カウンターによれば、カウンター保持部の横方向の幅をカウンター本体の横方向の幅よりも狭くし、カウンター本体を設置空間の壁面から離間させた状態で保持するので、水栓カウンターのデザイン性を向上させることができるとともに、水栓カウンターと壁面との間の隙間を光が通るため、水栓カウンターの下方を明るくしやすくすることができる。
【００１２】
また、温度調整部は流量調整部の横方向に配置されている、即ち、温度調整部及び流量調整部は、それぞれ横方向に配置されるため、水栓カウンターの正面からの操作性を確保することができ、水栓カウンターの使い勝手が良い。
【００１３】
また、第２止水栓を第１止水栓の前方に配置しているので、第２止水栓がよりカウンター本体の手前側に配置されることとなり、メンテナンスの際に、第２止水栓を見付けやすくすることができるとともに、その後方に並ぶ第１止水栓も見付けやすくすることができる。これにより、カウンター本体と壁面との間に隙間を設けた場合にも、第１止水栓及び第２止水栓を比較的短時間に見つけることができるため、第１止水栓及び第２止水栓の操作部を用いて開栓及び閉栓を比較的短時間に切り替えることができ、水栓カウンターのメンテナンス性を向上させることができる。さらには、第１止水栓及び第２止水栓を横並びでなく前後に配置したことにより、温度調整部を流量調整部の横方向に配置させた状態であっても、カウンター本体の横幅がさらに長くなることを抑制し、カウンター本体の横方向のさらなる大型化による水栓カウンターのデザイン性の低下を抑制することができる。
【００１４】
また、第２の発明は、第１の発明において、前記カウンター保持部は、前後方向において前記カウンター本体の横方向の中心と重なる位置に配置され、前記第１止水栓、前記第２止水栓、前記吐水口は、前後方向において前記カウンター保持部と重なる位置に配置され、前記第１止水栓及び前記第２止水栓は、前記吐水口と前後方向において重ならない位置に配置されていることを特徴とする水栓カウンターである。
【００１５】
この水栓カウンターによれば、カウンター保持部は、前後方向においてカウンター本体の横方向の中心と重なる位置に配置されるため、水栓カウンターと壁面との間の隙間をカウンター本体の両端近傍にそれぞれ設けることができ、カウンター本体の両端近傍にそれぞれ設けられた該隙間部分から通過した光によって、水栓カウンターの下方を両端側から明るくすることができる。
【００１６】
また、吐水口は、前後方向においてカウンター保持部と重なる位置、即ちカウンター本体の中央近傍に配置させることが、水栓カウンターのデザイン性が良く、好ましい。そして、第１止水栓及び第２止水栓はカウンター保持部と重なる位置、即ちカウンター本体の中央近傍に配置されるため、第１止水栓とカウンター保持部内に配置された第１供給口とを繋ぐ配管、及び第２止水栓とカウンター保持部内に配置された第２供給口とを繋ぐ配管をより短くすることができ、水栓カウンターの施工性が良く、製造コストも軽減できる。
【００１７】
このように、水栓カウンターの下方を両端側から明るくすることができつつ、吐水口をカウンター本体の中央近傍に配置させることができ、水栓カウンターの施工性が良く、製造コストも軽減できた状態において、第１止水栓及び第２止水栓は、吐水口と前後方向において重ならない位置に配置されているため、例えば、作業者が水栓カウンターをメンテナンスし終わり、水栓カウンターへ通水するように第１止水栓及び第２止水栓を開栓操作した時に、吐水口から漏れ出た水が、作業者の手や衣服などにかかってしまうことを抑制することができる。
【００１８】
また、第３の発明は、第１又は第２の発明において、前記第１止水栓は、前記第１供給口の前方に配置され、前記水栓機能部は、前記第１止水栓及び前記第２止水栓をに保持する保持部材を有することを特徴とする水栓カウンターである。
【００１９】
この水栓カウンターによれば、壁面に保持された第１供給口の前方に第１止水栓を配置することにより、第１止水栓と第１供給口とを繋ぐために複雑な形状をした配管を用いる必要なく、該配管を短く、もしくは、該配管を不要にでき、第１止水栓と第１供給口との距離が短く出来る分第１止水栓を安定して第１供給口に接続することができる。一方、第１止水栓の前方に配置される第２止水栓においては、第２供給口から離れた位置に配置されるため、第２供給口から離れている分安定して配置できないという課題が発生する。しかし、第１止水栓に第２止水栓を接続することにより、第２止水栓においても安定して水栓カウンターに配置することができる。よって、第２止水栓を第１止水栓の前方に配置した場合においても、第１止水栓及び第２止水栓を共に、水栓カウンター内に安定して配置できる。
【００２０】
また、第４の発明は、第３の発明において、前記保持部材は、上方を向く上面を有し、前記第１止水栓の前記操作部及び前記第２止水栓の前記操作部を下方に向け、前記第１止水栓の一部及び前記第２止水栓の一部を前記上面に当接させた状態で保持することを特徴とする水栓カウンターである。
【００２１】
この水栓カウンターによれば、保持部材は、上方を向く上面を有し、第１止水栓の操作部及び第２止水栓の操作部を下方に向け、第１止水栓の一部及び第２止水栓の一部を上面に当接させた状態で接続するため、カウンター本体の下方から操作部を操作可能としつつ、万が一第１止水栓又は第２止水栓の接続状態が解除されてしまった際にも、保持部材の上面によって第１止水栓及び第２止水栓が支えられるため、第１止水栓及び第２止水栓が落下運動する恐れがなく、したがって、第１止水栓及び第２止水栓に落下することで第１止水栓及び第２止水栓もしくは第１止水栓及び第２止水栓の下方にあるカバー部が破損してしまう恐れがない。よって、安定して第１止水栓及び第２止水栓を接続することができる。
【００２２】
また、第５の発明は、第１〜第４の発明のいずれか１つにおいて、前記温度調整部と前記第１止水栓と前記第２止水栓とは、前記カウンター本体の横方向の中央よりも右側又は左側に寄せて配置されていることを特徴とする水栓カウンターである。
【００２３】
止水栓は、水栓カウンターのメンテナンスの際に下流側の水及び湯の流れを止めるために、温度調整部より上流側に設置する必要があるが、この水栓カウンターによれば、第１止水栓及び第２止水栓を温度調整部と同じ側に寄せて配置することにより、各止水栓と温度調整部との間の配管の長さを短くすることができる。また、これらと反対側の空間を水栓機能部の他の部品の配置に用いることができ、収納空間を効率的に利用することができる。例えば、カウンター本体の大型化をより適切に抑制することができる。
【発明の効果】
【００２４】
本発明の態様によれば、両端近傍において水栓カウンターが取り付けられた壁面との間に隙間を有した状態で、大型化を抑制しつつ、メンテナンス性を向上させた水栓カウンターを提供することができる。
【図面の簡単な説明】
【００２５】
【図１】本発明の実施の形態に係る水栓カウンターを模式的に表す正面図である。
【図２】本発明の実施の形態に係る水栓カウンターを模式的に表す側面図である。
【図３】本発明の実施の形態に係る水栓カウンターを模式的に表す分解斜視図である。
【図４】本発明の実施の形態に係る水栓カウンターを模式的に表す斜視図である。
【図５】本発明の実施の形態に係る水栓カウンターを模式的に表す底面図である。
【図６】図６（ａ）及び図６（ｂ）は、本発明の実施の形態に係る水用止水栓及び湯用止水栓を模式的に表す底面図及び斜視図である。
【図７】図７（ａ）及び図７（ｂ）は、本発明の実施の形態に係るカウンター保持部を模式的に表す斜視図である。
【図８】本発明の実施の形態に係る水栓カウンターの一部を模式的に表す正面図である。
【図９】本発明の実施の形態に係る水用止水栓及び湯用止水栓の変形例を模式的に表す底面図である。
【発明を実施するための形態】
【００２６】
以下、本発明の実施の形態について図面を参照しつつ説明する。なお、各図面中、同様の構成要素には同一の符号を付して詳細な説明は適宜省略する。  
図１は、本発明の実施の形態に係る水栓カウンターを模式的に表す正面図である。  
図２は、本発明の実施の形態に係る水栓カウンターを模式的に表す側面図である。  
図３は、本発明の実施の形態に係る水栓カウンターを模式的に表す分解斜視図である。  図４は、本発明の実施の形態に係る水栓カウンターを模式的に表す斜視図である。  
図１〜図４に表したように、水栓カウンター１０は、カウンター本体１２と、カウンター保持部１４と、を備える。水栓カウンター１０は、例えば、浴室などの設置空間ＩＳの壁面ＷＬに取り付けられた状態で使用される。
【００２７】
本願明細書においては、壁面ＷＬから手前に向かう方向（図２において紙面左に向く方向）を「前方」とし、これと反対の方向を「後方」とする。また、前後方向及び上下方向に対して垂直な方向（図２において紙面に対して直交する方向）を横方向とする。
【００２８】
カウンター本体１２は、カウンター天板２０と、水栓機能部２１と、カバー部２２と、を有する。水栓カウンター１０では、水栓機能部２１から水を吐止水することができる。また、水栓カウンター１０では、カウンター天板２０の上に、例えば、ボディソープやシャンプーなどを載置することができる。このように、水栓カウンター１０は、例えば、浴室内の水栓装置として機能するとともに、浴室カウンターとして機能する。換言すれば、水栓カウンター１０は、水栓装置とカウンターとを一体化させたものである。
【００２９】
水栓カウンター１０は、例えば、浴室内において、洗面器などを載置するためのカウンター２の上方に配置される。また、浴室内において、水栓カウンター１０の上方には、照明４が設けられる。水栓カウンター１０の設置空間ＩＳは、浴室に限ることなく、例えば、洗面所などでもよい。水栓カウンター１０は、例えば、洗面所において洗面台の上方に取り付けて用いてもよい。
【００３０】
カウンター保持部１４は、水栓カウンター１０の壁面ＷＬへの取り付けに用いられる。カウンター保持部１４は、カウンター本体１２を壁面ＷＬから離間させた状態で保持し、カウンター本体１２の両側端近傍において、壁面ＷＬとの間に隙間を設ける。これにより、水栓カウンター１０では、デザイン性の向上を図ることができる。また、浴室などでは、水栓カウンター１０の上方に照明４が配置される場合が多い。このため、照明４からの光を隙間部分に通過させ、水栓カウンター１０の下方を明るくしやすくすることもできる。
【００３１】
カウンター天板２０の横方向の長さは、カウンター天板２０の前後方向の長さよりも長い。カウンター天板２０は、平面視（上から見た時）において、略矩形状である。カウンター天板２０は、略矩形の平板状である。カウンター天板２０の形状は、これに限ることなく、横方向に長い任意の形状でよい。
【００３２】
水栓機能部２１は、吐水口３０ａを有するスパウト３０（吐水部）と、吐水口３０ａから吐出される水の流量を調整する流量調整部３１と、を有する。水栓機能部２１は、例えば、シャワーエルボ３２と、吐止水切替部３３と、温度調整部３４と、をさらに有する。シャワーエルボ３２には、図示を省略したハンドシャワーが接続される。吐止水切替部３３は、吐水口３０ａ用の操作部３３ａと、シャワー用の操作部３３ｂと、を有し、各操作部３３ａ、３３ｂの操作に応じて、吐水口３０ａ又はハンドシャワーからの吐止水を切り替える。温度調整部３４は、操作部３４ａを有し、操作部３４ａの操作に応じて、吐水口３０ａ又はハンドシャワーから吐出される水の温度を調整する。温度調整部３４は、流量調整部３１の横方向に配置される。流量調整部３１は、操作部３１ａを有し、操作部３１ａの操作に応じて、吐水口３０ａ又はハンドシャワーから吐出される水の流量を調整する。
【００３３】
水栓カウンター１０においては、流量調整部３１及び温度調整部３４を操作した後、吐止水切替部３３を操作する。これにより、所望の流量及び温度の水が、吐水口３０ａ又はハンドシャワーから吐出される。
【００３４】
この例では、吐止水切替部３３によって、吐水口３０ａ又はハンドシャワーからの吐止水を切り替えている。これに限ることなく、例えば、流量調整部３１によって、流量及び吐止水を切り替えられるようにしてもよい。例えば、流量調整部３１に水用の操作部と湯用の操作部とを設け、各操作部の操作に応じて、水の吐止水及び流量と、湯の吐止水及び流量と、を調整できるようにしてもよい。すなわち、流量調整部３１で、水の吐止水、流量、及び温度を調整できるようにしてもよい。
【００３５】
カバー部２２は、カウンター天板２０及び水栓機能部２１の下方に設けられ、カウンター天板２０とともに水栓機能部２１を収納する収納空間ＳＳを形成する。カバー部２２は、例えば、側面パネル４０、４１と、下カバー４２と、保持部カバー４３と、を有する。
【００３６】
側面パネル４０、４１は、カウンター天板２０の外縁に沿い、水栓機能部２１の前面及び側面を覆う。下カバー４２は、側面パネル４０、４１の下端に取り付けられ、水栓機能部２１の下方を覆う。これにより、カウンター天板２０とともに、収納空間ＳＳを形成する。また、カバー部２２は、水栓機能部２１を収納するとともに、水栓機能部２１の吐水口３０ａ及び各操作部３１ａ、３３ａ、３３ｂ、３４ａを露出させる。
【００３７】
保持部カバー４３は、カウンター保持部１４のカウンター本体１２と壁面ＷＬとの間に露呈する部分を覆う。保持部カバー４３は、例えば、カウンター保持部１４の露呈部の上方及び側方を覆う。下カバー４２は、カウンター保持部１４の露呈部の下方を覆う。カウンター保持部１４には、例えば、ステンレスなどの金属材料が用いられる。カウンター天板２０及びカバー部２２には、例えば、樹脂材料が用いられる。これにより、カウンター保持部１４及び水栓機能部２１をカウンター天板２０及びカバー部２２で覆うことにより、水栓カウンター１０の美観を向上させることができる。カバー部２２の構成及び形状は、上記に限ることなく、水栓機能部２１を収納可能な任意の構成及び形状でよい。
【００３８】
図５は、本発明の実施の形態に係る水栓カウンターを模式的に表す底面図である。  
図３及び図５に表したように、水栓機能部２１は、給水口５０（第１供給口）、給湯口５１（第２供給口）、及び供給口５２に接続される。給水口５０、給湯口５１、及び供給口５２は、壁面ＷＬに保持されている。なお、図５では、便宜的に、下カバー４２を取り外した状態の底面図を図示している。
【００３９】
給水口５０は、壁内において、給水管に接続されている。これにより、給水口５０を介して水栓カウンター１０に水が供給される。給湯口５１は、壁内において、給湯管に接続されている。これにより、給湯口５１を介して水栓カウンター１０に湯が供給される。
【００４０】
供給口５２は、オーバーヘッドシャワー用の配管である配管６５に接続されている。この際、水栓機能部２１とシャワーエルボ３２との接続を外し、水栓機能部２１と配管６５を接続させることで、使用者の操作により、所望の流量及び温度の水を、水栓カウンター１０からオーバーヘッドシャワーへ供給させることができる。水栓機能部２１が、シャワーエルボ３２を介してハンドシャワーに接続されるとともに、供給口５２を介してオーバーヘッドシャワーに接続される構成であっても良い。この場合、他方に接続される配管経路は、塞いでもよい。また、水栓機能部２１は、シャワーエルボ３２及び供給口５２に接続される管路の一方のみを有するものでもよい。
【００４１】
水栓機能部２１は、水用止水栓５４（第１止水栓）と、湯用止水栓５５（第２止水栓）と、をさらに有する。水用止水栓５４は、給水口５０に接続される。水用止水栓５４は、水の管路を開閉し、水用止水栓５４よりも下流に水を流す状態と、水用止水栓５４よりも下流に水を流さない状態と、を切り替える。水用止水栓５４は、例えば、水栓カウンター１０に不具合が生じた場合などに、管路を閉じ、給水口５０から供給される一次圧の水が、下流に流れないようにする。
【００４２】
湯用止水栓５５は、配管６０を介して給湯口５１に接続される。湯用止水栓５５は、水用止水栓５４と同様に、湯の管路を開閉し、湯用止水栓５５よりも下流に水を流す状態と、湯用止水栓５５よりも下流に水を流さない状態と、を切り替える。
【００４３】
水用止水栓５４は、カウンター本体１２の後方部に配置される。カウンター本体１２の後方部とは、例えば、カウンター本体１２の前後方向の中央よりも後方の部分である。湯用止水栓５５は、水用止水栓５４の前方に配置される。また、水用止水栓５４及び湯用止水栓５５は、吐水口３０ａと前後方向において重ならない位置に配置される。なお、この例では、湯用止水栓５５を水用止水栓５４の前方に配置しているが、これとは反対に、水用止水栓５４を湯用止水栓５５の前方に配置してもよい。
【００４４】
水用止水栓５４は、配管６１を介して温度調整部３４に接続されている。湯用止水栓５５は、配管６２を介して温度調整部３４に接続されている。これにより、温度調整部３４に水及びが湯が供給される。温度調整部３４は、操作部３４ａの操作に応じて、水及び湯の混合比を変化させることにより、水の温度を調整する。
【００４５】
温度調整部３４は、流量調整部３１に接続されている。温度調整部３４は、混合後の水を流量調整部３１に供給する。流量調整部３１は、操作部３１ａの操作に応じて、下流に流れる水の流量を調整する。これにより、操作部３１ａ及び操作部３４ａの操作により、所望の流量及び温度の水を得ることができる。
【００４６】
流量調整部３１は、配管６３を介して吐止水切替部３３に接続されている。吐止水切替部３３は、配管６４を介して吐水口３０ａに接続されている。また、吐止水切替部３３は、シャワーエルボ３２に接続される。これにより、操作部３３ａの操作によって、所望の流量及び温度の水が、吐水口３０ａから吐出され、操作部３３ｂの操作によって、所望の流量及び温度の水が、ハンドシャワーから吐出される。なお、上述した通り、吐止水切替部３３とシャワーエルボ３２との接続を外し、吐止水切替部３３と配管６５を接続させることで、使用者の操作により、所望の流量及び温度の水を、水栓カウンター１０からオーバーヘッドシャワーへ供給させることができる。
【００４７】
流量調整部３１及び温度調整部３４は、カウンター本体１２の横方向の中心ＣＬよりも手前側（使用者側）から見て右側に寄せて配置されている。水用止水栓５４及び湯用止水栓５５は、温度調整部３４と同じ右側に寄せて配置されている。これにより、配管６１、６２の長さを短くすることができる。また、このように、流量調整部３１、温度調整部３４、水用止水栓５４、及び湯用止水栓５５を左右の片側に寄せて配置することにより、これらと反対側の空間を水栓機能部２１の他の部品の配置に用いることができる。この例では、吐止水切替部３３が、左側に寄せて配置されている。これにより、収納空間ＳＳを効率的に利用することができる。上記とは反対に、流量調整部３１、温度調整部３４、水用止水栓５４、及び湯用止水栓５５を左側に配置し、吐止水切替部３３を右側に配置してもよい。
【００４８】
図６（ａ）及び図６（ｂ）は、本発明の実施の形態に係る水用止水栓及び湯用止水栓を模式的に表す底面図及び斜視図である。  
図６（ａ）及び図６（ｂ）に表したように、水用止水栓５４は、入口５４ａと、出口５４ｂと、を有する。水用止水栓５４は、入口５４ａを後方に向けて配置される。水用止水栓５４は、給水口５０の前方に配置される。水用止水栓５４は、入口５４ａを給水口５０と対向させ、袋ナット５６を介して給水口５０に接続される。このように、水用止水栓５４は、給水口５０に対して直接的に接続され、給水口５０に保持される。すなわち、水用止水栓５４は、給水口５０を介して壁面ＷＬに保持される。これにより、水用止水栓５４を安定的に保持することができる。
【００４９】
水用止水栓５４の出口５４ｂは、入口５４ａを後方に向けた状態において、右側を向く。すなわち、水用止水栓５４は、給水口５０に保持された状態において、出口５４ｂを温度調整部３４側に向ける。これにより、配管６１の長さを短くし、収納空間ＳＳを効率的に利用することができる。
【００５０】
水栓機能部２１は、保持部材６６を有する。保持部材６６は、湯用止水栓５５を水用止水栓５４の前方に配置した状態で、湯用止水栓５５を水用止水栓５４に接続する。これにより、湯用止水栓５５が、水用止水栓５４及び給水口５０を介して壁面ＷＬに保持され、湯用止水栓５５を安定的に保持することができる。
【００５１】
湯用止水栓５５は、入口５５ａと、出口５５ｂと、を有する。給湯口５１は、給水口５０の左側に配置されている。従って、保持部材６６は、湯用止水栓５５の入口５５ａを左側に向けた状態で保持する。すなわち、保持部材６６は、湯用止水栓５５の入口５５ａを給湯口５１側に向けた状態で保持する。配管６０は、略Ｌ字状に屈曲し、給湯口５１と湯用止水栓５５の入口５５ａとを接続する。湯用止水栓５５の入口５５ａは、袋ナット５７を介して配管６０の一端に接続される。
【００５２】
湯用止水栓５５の出口５５ｂは、入口５５ａを左側に向けた状態において、右側を向く。すなわち、湯用止水栓５５は、保持部材６６に保持され、配管６０に接続された状態において、出口５５ｂを温度調整部３４側に向ける。
【００５３】
このように、給水口５０の位置を基準に、温度調整部３４を給湯口５１の左右方向の反対側に配置する。そして、湯用止水栓５５の入口５５ａを給湯口５１側に向け、湯用止水栓５５の出口５５ｂを温度調整部３４側に向ける。これにより、湯用止水栓５５を水用止水栓５４の前方に配置した場合にも、配管６０及び配管６２の長さを短くし、収納空間ＳＳを効率的に利用することができる。
【００５４】
また、この例では、水用止水栓５４の入口５４ａが後方を向き、湯用止水栓５５の入口５５ａが左側を向く。このように、湯用止水栓５５の入口５５ａの向く方向は、水用止水栓５４の入口５４ａの向く方向に対して交差する。湯用止水栓５５の入口５５ａの向く方向は、例えば、水用止水栓５４の入口５４ａの向く方向に対して直交する。
【００５５】
給水口５０の水用止水栓５４との接続部分の形状は、円筒状である。このため、水用止水栓５４の前後、左右、上下方向へのグラつきは、給水口５０との接続によって抑制される。一方、水用止水栓５４の給水口５０を軸とする回転方向のグラつきは、給水口５０との接続のみでは抑えることができない。
【００５６】
同様に、配管６０の湯用止水栓５５との接続部分の形状は、円筒状であり、湯用止水栓５５の前後、左右、上下方向へのグラつきを抑制できる反面、湯用止水栓５５の配管６０を軸とする回転方向のグラつきは、配管６０との接続のみでは抑えることができない。
【００５７】
これに対し、上記のように、湯用止水栓５５の入口５５ａの向く方向を、水用止水栓５４の入口５４ａの向く方向に対して交差させる。これにより、水用止水栓５４の給水口５０を軸とする回転方向のグラつきが、湯用止水栓５５と配管６０との接続によって抑制される。そして、湯用止水栓５５の配管６０を軸とする回転方向のグラつきが、水用止水栓５４と給水口５０との接続によって抑制される。
【００５８】
このように、水用止水栓５４及び湯用止水栓５５の回転方向のグラつきが、互いに相殺される。これにより、水用止水栓５４及び湯用止水栓５５のグラつきを適切に抑制することができる。例えば、水用止水栓５４及び湯用止水栓５５を安定して保持することができる。例えば、水用止水栓５４及び湯用止水栓５５のグラつきを抑制し、水用止水栓５４及び湯用止水栓５５の操作性を高めることができる。
【００５９】
水用止水栓５４は、開栓及び閉栓を切り替えるための操作部５４ｃを有する。湯用止水栓５５は、開栓及び閉栓を切り替えるための操作部５５ｃを有する。操作部５４ｃ、５５ｃは、例えば、回転操作により、開栓及び閉栓を切り替える。
【００６０】
保持部材６６は、略矩形の板状である。保持部材６６は、上方を向く上面６６ａを有する。また、保持部材６６は、水用止水栓５４を挿通するための切り欠き６６ｂと、湯用止水栓５５を挿通するための切り欠き６６ｃと、を有する。
【００６１】
水用止水栓５４は、切り欠き６６ｂに挿通された状態で上面６６ａに当接する一対のフランジ部５４ｄを有する。湯用止水栓５５は、切り欠き６６ｃに挿通された状態で上面６６ａに当接する一対のフランジ部５５ｄを有する。
【００６２】
保持部材６６は、水用止水栓５４の操作部５４ｃ及び湯用止水栓５５の操作部５５ｃを下方に向け、水用止水栓５４の各フランジ部５４ｄ及び湯用止水栓５５の各フランジ部５５ｄを上面６６ａに当接させた状態で、水用止水栓５４及び湯用止水栓５５を保持する。換言すれば、上記のように各入口５４ａ、５５ａ及び各出口５４ｂ、５５ｂを向けて水用止水栓５４及び湯用止水栓５５を配置した場合に、各操作部５４ｃ、５５ｃは、下方を向く。カウンター本体１２の下方を覆うカバー部２２には、操作部５４ｃを隠蔽しない非隠蔽部２２ａと、操作部５５ｃを隠蔽しない非隠蔽部２２ｂと、が設けられている（図３参照）。非隠蔽部２２ａ、２２ｂは、換言すれば、操作部５４ｃ、５５ｃを露呈させる開口部である。
【００６３】
これにより、水用止水栓５４及び湯用止水栓５５を操作し易く、かつ安定的に保持することができる。例えば、水用止水栓５４及び湯用止水栓５５の脱落を抑制することができる。保持部材６６の形状は、上記に限ることなく、水用止水栓５４及び湯用止水栓５５を保持可能な任意の形状でよい。
【００６４】
図７（ａ）及び図７（ｂ）は、本発明の実施の形態に係るカウンター保持部を模式的に表す斜視図である。  
図７（ａ）及び図７（ｂ）に表したように、カウンター保持部１４は、支持部７０と、取付部７１と、接続部７２と、を有する。支持部７０は、カウンター天板２０とカバー部２２とで形成される収納空間ＳＳ内に設けられ、カウンター本体１２の横方向の中央近傍を支持する。
【００６５】
取付部７１は、壁面ＷＬに取り付けられる。取付部７１は、壁面ＷＬと対向する板状である。水栓カウンター１０は、例えば、取付部７１を壁面ＷＬにネジ止めすることによって、壁面ＷＬに取り付けられる。取付部７１には、給水口５０を露呈させるための開口７１ａと、給湯口５１を露呈させるための開口７１ｂと、供給口５２を露呈させるための開口７１ｃと、が設けられている。このように、カウンター保持部１４は、給水口５０及び給湯口５１と対向して壁面ＷＬに取り付けられる。換言すれば、カウンター保持部１４は、給水口５０及び給湯口５１を覆うように壁面ＷＬに取り付けられる。
【００６６】
接続部７２は、支持部７０と取付部７１とを接続する。接続部７２は、上下方向においてカウンター天板２０と重ならない。すなわち、カウンター保持部１４は、接続部７２の前後方向の長さの分だけカウンター本体１２を壁面ＷＬから離間させる。保持部カバー４３は、カウンター保持部１４のうちの取付部７１及び接続部７２を覆う。
【００６７】
取付部７１の横方向の幅Ｗ１及び接続部７２の横方向の幅Ｗ２は、カウンター本体１２の横方向の幅Ｗ３よりも狭い（図５参照）。取付部７１及び接続部７２は、前後方向においてカウンター本体１２の横方向の中心ＣＬと重なる位置に配置される。換言すれば、取付部７１及び接続部７２は、前方から見た時に、カウンター本体１２の横方向の中心ＣＬと重なる位置に配置される。これにより、水栓カウンター１０においては、横方向の両端近傍において壁面ＷＬとの間に隙間を設けることができる。スパウト３０と水用止水栓５４と湯用止水栓５５とは、前後方向において取付部７１と重なる位置に配置される。すなわち、スパウト３０と水用止水栓５４と湯用止水栓５５とは、カウンター本体１２の横方向の中央近傍に配置される。
【００６８】
取付部７１の幅Ｗ１及び接続部７２の幅Ｗ２は、例えば、カウンター本体１２の幅Ｗ３の１／２以下である。これにより、壁面ＷＬとの間に適切に隙間を設けることができる。また、取付部７１の幅Ｗ１及び接続部７２の幅Ｗ２は、例えば、カウンター本体１２の幅Ｗ３の１／１０以上である。これにより、カウンター本体１２を適切に支持することができる。
【００６９】
この例において、取付部７１及び接続部７２の横方向の中央の位置は、カウンター本体１２の横方向の中心ＣＬの位置と実質的に同じである。取付部７１及び接続部７２の横方向の中央の位置は、取付部７１及び接続部７２が中心ＣＬに重なる範囲において、中心ＣＬの位置と異なってもよい。取付部７１及び接続部７２の横方向の中央の位置は、中心ＣＬに対して右又は左にずれていてもよい。
【００７０】
支持部７０は、中央部７４と、一対の側方部７５、７６と、を有する。中央部７４は、支持部７０において、接続部７２に接続された部分である。換言すれば、中央部７４は、接続部７２と一体に形成された部分である。
【００７１】
側方部７５は、中央部７４から一方の側方に延びる。側方部７６は、中央部７４から他方の側方に延びる。各側方部７５、７６は、中央部７４から接続部７２よりも側方に延びる。各側方部７５、７６は、接続部７２の横方向の端部よりも側方に延びる。これにより、各側方部７５、７６は、カウンター本体１２の両側端部の下方への撓みを抑制する。支持部７０の横方向の幅Ｗ４は、収納空間ＳＳの横方向の幅と実質的に同じである。これにより、支持部７０により、カウンター本体１２を適切に支持することができる。支持部７０の横方向の幅Ｗ４は、カウンター本体１２の撓みを抑制可能な任意の長さでよい。
【００７２】
支持部７０は、横方向及び前後方向に延びる板状である。換言すれば、支持部７０は、カウンター天板２０と略平行な板状である。これにより、中央部７４とカバー部２２との間に収納空間ＳＳの一部が設けられるとともに、各側方部７５、７６とカバー部２２との間に収納空間ＳＳの一部が設けられる。これにより、収納空間ＳＳを圧迫することなく、カウンター本体１２の両側端部の下方への撓みを抑制することができる。
【００７３】
各側方部７５、７６は、中央部７４と別体である。各側方部７５、７６は、中央部７４に保持される。各側方部７５、７６は、例えば、ネジ止めなどにより、中央部７４に着脱可能に保持される。各側方部７５、７６は、連結部材７７、７８を有する。各側方部７５、７６は、各連結部材７７、７８を介して中央部７４に保持される。
【００７４】
中央部７４は、一対のブラケット部８０、８１と、平板部８２と、を有する。各ブラケット部８０、８１は、中央部７４の横方向の端部に設けられる。各ブラケット部８０、８１は、前後方向及び横方向に延びるとともに、横方向の端部において下方に折り曲げられた断面略Ｌ字型の部材である。各ブラケット部８０、８１の下方に折り曲げられた部分の長さは、先端から基端に向かって漸次的に長くなる。これにより、各ブラケット部８０、８１の強度を高めることができる。各ブラケット部８０、８１の折り曲げ部分により、中央部７４の側方には、側方を向く立壁面８０ａ、８１ａ（第１立壁面）が設けられる。
【００７５】
平板部８２は、当接部８２ａと、一対の延出部８２ｂ、８２ｃと、を有する。当接部８２ａは、カウンター天板２０の下面２０ｂ（図５参照）に面状に当接する。各延出部８２ｂ、８２ｃは、当接部８２ａの横方向の両端に設けられる。各延出部８２ｂ、８２ｃは、カウンター天板２０の下面２０ｂから離間するように当接部８２ａから下方に向かって、カウンター本体１２の正面からみて面状に延出する。各延出部８２ｂ、８２ｃとカウンター天板２０の下面２０ｂとの間の距離は、例えば、各ブラケット部８０、８１の先端近傍の折り曲げ部分の長さと実質的に同じである。延出部８２ｂは、例えば、延出部８２ｃと略面一である。
【００７６】
側方部７５は、当接部７５ａと、一対の延出部７５ｂ、７５ｃと、を有する。当接部７５ａは、カウンター天板２０の下面２０ｂに面状に当接する。各延出部７５ｂ、７５ｃは、当接部７５ａの横方向の両端に設けられる。各延出部７５ｂ、７５ｃは、カウンター天板２０の下面２０ｂから離間するように当接部８２ａから下方に向かって、カウンター本体１２の正面からみて面状に延出する。各当接部７５ａ、８２ａをカウンター天板２０の下面２０ｂに当接させた状態において、下面２０ｂと延出部７５ｂとの間の距離は、下面２０ｂと延出部８２ｂとの間の距離と実質的に同じである。延出部７５ｂは、延出部８２ｂと略面一である。
【００７７】
側方部７６は、当接部７６ａと、一対の延出部７６ｂ、７６ｃと、を有する。側方部７６の形状は、側方部７５の形状と左右対称な実質的に同じ形状であるから、詳細な説明は省略する。
【００７８】
各側方部７５、７６の後端には、下方に向けて折り曲げられた折り曲げ部７５ｄ、７６ｄが設けられている。各連結部材７７、７８は、例えば、ネジ止めなどにより、各側方部７５、７６の各折り曲げ部７５ｄ、７６ｄに取り付けられる。
【００７９】
各連結部材７７、７８は、中央部７４の立壁面８０ａ、８１ａと対向する立壁面７７ａ、７８ａ（第２立壁面）を有する。各側方部７５、７６は、各立壁面７７ａ、７８ａを各立壁面８０ａ、８１ａに当接させた状態で、中央部７４に保持される。各立壁面８０ａ、８１ａ及び各立壁面７７ａ、７８ａの下方とカバー部２２との間には、収納空間ＳＳの一部が形成される。各側方部７５、７６が立壁面７７ａ、７８ａよりカウンター本体１２の中心から遠い位置において下方へ力が受けた際には、立壁面８０ａ、８１ａと立壁面７７ａ、７８ａとの当接により、各側方部７５、７６の立壁面７７ａ、７８ａよりカウンター本体１２の中心から遠い位置における下方への移動が抑制される。
【００８０】
また、各側方部７５、７６は、中央部７４に保持された状態において、中央部７４の下方に当接する。この例において、各側方部７５、７６は、中央部７４に保持された状態において、各ブラケット部８０、８１の下端に当接する。この例では、延出部７５ｂ（側方端部）の上方に中央部７４のブラケット部８０が配置されている。延出部７６ｂ（側方端部）の上方に中央部７４のブラケット部８１が配置されている。延出部７５ｂは、ブラケット部８０に当接する。延出部７６ｂは、ブラケット部８１に当接する。延出部７５ｂ、７６ｂの下方とカバー部２２との間には、収納空間ＳＳの一部が設けられる。側方部７５、７６が延出部７５ｂ、７６ｂよりカウンター本体１２の中心から遠い位置において下方へ力を受けた際には、延出部７５ｂ、７６ｂとブラケット部８０、８１の当接により、側方部７５、７６の延出部７５ｂ、７６ｂよりカウンター本体１２の中心から遠い位置における下方への移動が抑制される。
【００８１】
中央部７４の延出部８２ｂは、貫通孔９０を有する。中央部７４の延出部８２ｃは、貫通孔９１を有する。延出部８２ｂは、前後方向に並ぶ２つの貫通孔９０を有する。同様に、延出部８２ｃは、前後方向に並ぶ２つの貫通孔９１を有する。各貫通孔９０、９１は、中央部７４のカウンター天板２０への取り付けに用いられる。中央部７４は、各延出部８２ｂ、８２ｃにおいてカウンター天板２０に取り付けられる。各貫通孔９０、９１の数は、２つに限ることなく、１つでもよいし、３つ以上でもよい。
【００８２】
同様に、側方部７５は、延出部７５ｂに設けられた２つの貫通孔９２、及び、延出部７５ｃに設けられた２つの貫通孔９３を有し、側方部７６は、延出部７６ｂに設けられた２つの貫通孔９４、及び、延出部７６ｃに設けられた２つの貫通孔９５を有する。側方部７５は、各貫通孔９２、９３を介してカウンター天板２０に取り付けられ、側方部７６は、各貫通孔９４、９５を介してカウンター天板２０に取り付けられる。このように、各側方部７５は、各延出部７５ｂ、７５ｃにおいてカウンター天板２０に取り付けられ、各側方部７６は、各延出部７６ｂ、７６ｃにおいてカウンター天板２０に取り付けられる。各側方部７５、７６の取り付けに用いられる貫通孔の数は、２つに限ることなく、任意の数でよい。
【００８３】
図８は、本発明の実施の形態に係る水栓カウンターの一部を模式的に表す正面図である。  
図８に表したように、カウンター天板２０の下面２０ｂには、下方に向けて突出する複数の突出部ＰＵ１、ＰＵ２、ＰＵ３、ＰＵ４が設けられている。実際には、各突出部ＰＵ１、ＰＵ２、ＰＵ３、ＰＵ４の奥にもう１つずつ、計８つの突出部が下面２０ｂに設けられる。突出部の数は、８つに限ることなく、必要に応じた任意の数でよい。なお、図８では、便宜的に、カウンター保持部１４を簡略化して図示している。
【００８４】
突出部ＰＵ１は、中央部７４の延出部８２ｂと対向する。突出部ＰＵ２は、中央部７４の延出部８２ｃと対向する。突出部ＰＵ１の突出量は、下面２０ｂと延出部８２ｂとの間の距離と実質的に同じである。突出部ＰＵ２の突出量は、下面２０ｂと延出部８２ｃとの間の距離と実質的に同じである。これにより、延出部８２ｂは、突出部ＰＵ１に当接し、延出部８２ｃは、突出部ＰＵ２に当接する。
【００８５】
また、突出部ＰＵ１は、延出部８２ｂの貫通孔９０と対向し、貫通孔９０と対向する位置に設けられたインサートナットを有する。突出部ＰＵ２は、延出部８２ｃの貫通孔９１と対向し、貫通孔９１と対向する位置に設けられたインサートナットを有する。中央部７４は、各延出部８２ｂ、８２ｃを各突出部ＰＵ１、ＰＵ２にネジ止めすることにより、カウンター天板２０の下面２０ｂに取り付けられる。
【００８６】
突出部ＰＵ１は、中央部７４の延出部８２ｂと対向するとともに、側方部７５の延出部７５ｂと対向する。突出部ＰＵ３は、側方部７５の延出部７５ｃと対向する。突出部ＰＵ３の突出量は、下面２０ｂと延出部７５ｃとの間の距離と実質的に同じである。これにより、延出部７５ｂは、突出部ＰＵ１に当接し、延出部７５ｃは、突出部ＰＵ３に当接する。
【００８７】
突出部ＰＵ１は、延出部７５ｂの貫通孔９２と対向し、貫通孔９２と対向する位置に設けられたインサートナットを有する。突出部ＰＵ３は、延出部７５ｃの貫通孔９３と対向し、貫通孔９３と対向する位置に設けられたインサートナットを有する。側方部７５は、各延出部７５ｂ、７５ｃを各突出部ＰＵ１、ＰＵ３にネジ止めすることにより、カウンター天板２０の下面２０ｂに取り付けられる。同様に、側方部７６は、各延出部７６ｂ、７６ｃを各突出部ＰＵ２、ＰＵ４にネジ止めすることにより、カウンター天板２０の下面２０ｂに取り付けられる。
【００８８】
このように、カウンター天板２０の下面２０ｂに各突出部ＰＵ１、ＰＵ２、ＰＵ３、ＰＵ４を設け、各突出部ＰＵ１、ＰＵ２、ＰＵ３、ＰＵ４にインサートナットを設ける。これにより、例えば、カウンター天板２０の強度の低下を抑えつつ、カウンター天板２０を薄型化することができる。
【００８９】
また、各側方部７５、７６に延出部７５ｂ、７５ｃ、７６ｂ、７５ｃを設け、各延出部７５ｂ、７５ｃ、７６ｂ、７６ｃにおいて各側方部７５、７６をカウンター天板２０に取り付ける。これにより、例えば、折り曲げ部分の無い平板状の構成に比べて、各側方部７５、７６の強度を高めることができる。
【００９０】
また、中央部７４と側方部７５とを同じ突出部ＰＵ１に取り付ける。これにより、例えば、中央部７４と側方部７５とを個別の突出部に取り付ける場合に比べて、カウンター天板２０の強度をより高めることができる。例えば、カウンター天板２０の側端部の下方への撓みに対する強度（曲げ剛性）をより高めることができる。
【００９１】
水栓機能部２１は、部品保持部材１００、１０２を有する。部品保持部材１００は、例えばネジ止めにより、側方部７５の各延出部７５ｂ、７５ｃに取り付けられる。部品保持部材１００は、延出部７５ｂ、７５ｃに取り付けられることにより、流量調整部３１及び温度調整部３４を当接部７５ａに配置した状態で、側方部７５に保持する。これにより、流量調整部３１及び温度調整部３４は、部品保持部材１００を介して側方部７５に取り付けられるとともに、側方部７５を介してカウンター天板２０に取り付けられる。
【００９２】
部品保持部材１０２は、例えばネジ止めにより、側方部７６の各延出部７６ｂ、７６ｃに取り付けられる。部品保持部材１０２は、延出部７６ｂ、７６ｃに取り付けられることにより、吐止水切替部３３を当接部７６ａに配置した状態で、側方部７６に保持する。これにより、吐止水切替部３３は、部品保持部材１０２を介して側方部７６に取り付けられるとともに、側方部７６を介してカウンター天板２０に取り付けられる。
【００９３】
このように、水栓機能部２１は、部品保持部材１００、１０２などを介して、側方部７５、７６に取り付けられる。水栓カウンター１０では、例えば、カウンター保持部１４のうちの取付部７１と接続部７２と中央部７４との部分を先に壁面ＷＬに取り付けることができる。この後、カウンター天板２０と水栓機能部２１と各側方部７５、７６とを組み立てた状態で、各側方部７５、７６の間に中央部７４を挿し込む。これにより、カウンター本体１２を壁面ＷＬに取り付けることができる。従って、例えば、水栓カウンター１０の全体を一度に壁面ＷＬに取り付ける場合に比べて、施工性を向上させることができる。
【００９４】
当接部７５ａ、７６ａと、延出部７５ｂ、７５ｃ、７６ｂ、７６ｃと、を側方部７５、７６に設け、部品保持部材１００、１０２を各延出部７５ｂ、７５ｃ、７６ｂ、７６ｃに取り付ける。これにより、例えば、各延出部７５ｂ、７５ｃ、７６ｂ、７６ｃと下面２０ｂとの間の空間に、ネジなどの保持具の一部を入り込ませることができる。従って、カウンター天板２０に加工を施すことなく、水栓機能部２１の部品を側方部７５、７６に取り付けることができる。これにより、例えば、カウンター天板２０の形状を簡易にし、カウンター天板２０の製造性を高めることができる。
【００９５】
この例では、各側方部７５、７６の各延出部７５ｂ、７５ｃ、７６ｂ、７６ｃをカウンター天板２０への取り付け、及び、水栓機能部２１の取り付けに用いている。各延出部７５ｂ、７５ｃ、７６ｂ、７６ｃは、例えば、中央部７４への取り付けに用いてもよい。
【００９６】
流量調整部３１、吐止水切替部３３、温度調整部３４などの水栓機能部２１を構成する複数の部品の少なくとも１つを、当接部７５ａ、７６ａに配置した状態で、側方部７５、７６に保持する。すなわち、水栓機能部２１を構成する複数の部品の少なくとも１つは、当接部７５ａ、７６ａの下方において当接部７５ａ、７６ａ及び延出部７５ｂ、７６ｂに囲まれて形成された空間に配置される。これにより、例えば、水栓機能部２１を収納空間ＳＳ内に効率良く配置し、カウンター本体１２の厚さを抑えることができる。
【００９７】
また、流量調整部３１、吐止水切替部３３、温度調整部３４などの水栓機能部２１の各部品は、デザイン性の観点などから左右に寄せて配置される場合がある。例えば、側方部７５、７６を有しない水栓カウンターにおいて、カウンター保持部の幅をカウンター本体の幅よりも狭くし、かつ流量調整部などの重量物を左右に寄せて配置した場合、カウンター本体の両側端が下方に撓んでしまう恐れがある。
【００９８】
本実施形態に係る水栓カウンター１０では、各側方部７５、７６が、カウンター本体１２の両側端部の下方への撓みを抑制する。これにより、水栓機能部２１の各部品を両側端近傍に配置した場合にも、カウンター本体１２の撓みを抑制することができる。
【００９９】
以上、説明したように、水栓カウンター１０では、カウンター保持部１４の横方向の幅をカウンター本体１２の横方向の幅よりも狭くし、カウンター本体１２を設置空間ＩＳの壁面ＷＬから離間させた状態で保持するので、水栓カウンター１０のデザイン性を向上させることができるとともに、水栓カウンター１０と壁面ＷＬとの間の隙間を光が通るため、水栓カウンター１０の下方を明るくしやすくすることができる。
【０１００】
また、温度調整部３４は流量調整部３１の横方向に配置されている、即ち、温度調整部３４及び流量調整部３１は、それぞれ横方向に配置されるため、水栓カウンター１０の正面からの操作性を確保することができ、水栓カウンター１０の使い勝手が良い。
【０１０１】
また、水栓カウンター１０では、湯用止水栓５５を水用止水栓５４の前方に配置しているので、湯用止水栓５５がよりカウンター本体１２の手前側に配置されることとなり、メンテナンスの際に、湯用止水栓５５を見付けやすくすることができるとともに、その後方に並ぶ水用止水栓５４も見付けやすくすることができる。これにより、カウンター本体１２と壁面ＷＬとの間に隙間を設けた場合にも、水用止水栓５４及び湯用止水栓５５を比較的短時間に見つけることができるため、水用止水栓５４及び湯用止水栓５５の操作部５４ｃ、５５ｃを用いて開栓及び閉栓を比較的短時間に切り替えることができ、水栓カウンター１０のメンテナンス性を向上させることができる。さらには、水用止水栓５４及び湯用止水栓５５を横並びでなく前後に配置したことにより、温度調整部３４を流量調整部３１の横方向に配置させた状態であっても、カウンター本体１２の横幅がさらに長くなることを抑制し、カウンター本体１２の横方向のさらなる大型化による水栓カウンター１０のデザイン性の低下を抑制することができる。
【０１０２】
また、水栓カウンター１０では、カウンター保持部１４が、前後方向においてカウンター本体１２の横方向の中心ＣＬと重なる位置に配置されるため、水栓カウンター１０と壁面ＷＬとの間の隙間をカウンター本体１２の両端近傍にそれぞれ設けることができ、カウンター本体１２の両端近傍にそれぞれ設けられた該隙間部分から通過した光によって、水栓カウンター１０の下方を両端側から明るくすることができる。
【０１０３】
また、吐水口３０ａは、前後方向においてカウンター保持部１４と重なる位置、即ちカウンター本体１２の中央近傍に配置させることが、水栓カウンター１０のデザイン性が良く、好ましい。
【０１０４】
そして、水用止水栓５４及び湯用止水栓５５はカウンター保持部１４と重なる位置、即ちカウンター本体１２の中央近傍に配置されるため、水用止水栓５４とカウンター保持部１４内に配置された給水口５０とを繋ぐ配管、及び湯用止水栓５５とカウンター保持部１４内に配置された給湯口５１とを繋ぐ配管をより短くすることができ、水栓カウンター１０の施工性が良く、製造コストも軽減できる。
【０１０５】
このように、水栓カウンター１０の下方を両端側から明るくすることができつつ、吐水口３０ａをカウンター本体１２の中央近傍に配置させることができ、水栓カウンター１０の施工性が良く、製造コストも軽減できた状態において、水用止水栓５４及び湯用止水栓５５は、吐水口３０ａと前後方向において重ならない位置に配置されているため、例えば、作業者が水栓カウンター１０をメンテナンスし終わり、水栓カウンター１０へ通水するように水用止水栓５４及び湯用止水栓５５を開栓操作した時に、吐水口３０ａから漏れ出た水が、作業者の手や衣服などにかかってしまうことを抑制することができる。
【０１０６】
また、水栓カウンター１０では、壁面ＷＬに保持された給水口５０の前方に水用止水栓５４を配置することにより、水用止水栓５４と給水口５０とを繋ぐために複雑な形状をした配管を用いる必要なく、該配管を短く、もしくは、該配管を不要にでき、水用止水栓５４と給水口５０との距離が短く出来る分水用止水栓５４を安定して給水口５０に接続することができる。一方、水用止水栓５４の前方に配置される湯用止水栓５５においては、給湯口５１から離れた位置に配置されるため、給湯口５１から離れている分安定して配置できないという課題が発生する。しかし、水用止水栓５４に湯用止水栓５５を接続することにより、湯用止水栓５５においても安定して水栓カウンター１０に配置することができる。よって、湯用止水栓５５を水用止水栓５４の前方に配置した場合においても、水用止水栓５４及び湯用止水栓５５を共に、水栓カウンター１０内に安定して配置できる。
【０１０７】
また、水栓カウンター１０では、保持部材６６が、上方を向く上面６６ａを有し、水用止水栓５４の操作部５４ｃ及び湯用止水栓５５の操作部５５ｃを下方に向け、水用止水栓５４の一部及び湯用止水栓５５の一部を上面６６ａに当接させた状態で接続するため、カウンター本体１２の下方から操作部５４ｃ、５５ｃを操作可能としつつ、万が一水用止水栓５４又は湯用止水栓５５の接続状態が解除されてしまった際にも、保持部材６６の上面６６ａによって水用止水栓５４及び湯用止水栓５５が支えられるため、水用止水栓５４及び湯用止水栓５５が落下運動する恐れがなく、したがって、水用止水栓５４及び湯用止水栓５５に落下することで第１止水栓及び第２止水栓もしくは第１止水栓及び第２止水栓の下方にあるカバー部が破損してしまう恐れがない。よって、安定して第１止水栓及び第２止水栓を接続することができる。
【０１０８】
また、水用止水栓５４及び湯用止水栓５５は、水栓カウンター１０のメンテナンスの際に下流側の水及び湯の流れを止めるために、温度調整部３４より上流側に設置する必要があるが、水栓カウンター１０では、水用止水栓５４及び湯用止水栓５５を温度調整部３４と同じ側に寄せて配置することにより、水用止水栓５４及び湯用止水栓５５と温度調整部３４との間の配管６１、６２の長さを短くすることができる。また、これらと反対側の空間を水栓機能部２１の他の部品の配置に用いることができ、収納空間ＳＳを効率的に利用することができる。例えば、カウンター本体１２の大型化をより適切に抑制することができる。
【０１０９】
図９は、本発明の実施の形態に係る水用止水栓及び湯用止水栓の変形例を模式的に表す底面図である。  
上記実施形態では、水用止水栓５４と湯用止水栓５５とが、前後方向に直線状に並んでいる。これに限ることなく、図９に表したように、前方に設けられる湯用止水栓５５は、水用止水栓５４に対して横方向に僅かにずれていてもよい。湯用止水栓５５は、前後方向において水用止水栓５４と重なる部分を有していればよい。湯用止水栓５５の少なくとも一部が、前後方向において水用止水栓５４と重なっていればよい。
【０１１０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、水栓カウンター１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１１１】
２ カウンター、  ４ 照明、  １０ 水栓カウンター、  １２ カウンター本体、  １４ カウンター保持部、  ２０ カウンター天板、  ２１ 水栓機能部、  ２２ カバー部、  ２２ａ、２２ｂ 非隠蔽部、  ３０ スパウト、  ３０ａ 吐水口、  ３１ 流量調整部、  ３２ シャワーエルボ、  ３３ 吐止水切替部、  ３４ 温度調整部、  ４０、４１ 側面パネル、  ４２ 下カバー、  ４３ 保持部カバー、  ５０ 給水口、  ５１ 給湯口、  ５２ 供給口、  ５４ 水用止水栓、  ５４ｃ 操作部、  ５５ 湯用止水栓、  ５５ｃ 操作部、  ５６、５７ 袋ナット、  ６０、６１、６２、６３、６４、６５ 配管、  ６６ 保持部材、  ６６ａ 上面、  ７０ 支持部、  ７１ 取付部、  ７２ 接続部、  ７４ 中央部、  ７５、７６ 側方部、  ７７、７８ 連結部材、  ８０、８１ ブラケット部、  ８２ 平板部、  ９０、９１、９２、９３、９４、９５ 貫通孔、  １００、１０２ 部品保持部材、  ＳＳ 収納空間、  ＷＬ 壁面
【図１】
0006592936.tif 000002
【図２】
0006592936.tif 000003
【図３】
0006592936.tif 000004
【図４】
0006592936.tif 000005
【図５】
0006592936.tif 000006
【図６】
0006592936.tif 000007
【図７】
0006592936.tif 000008
【図８】
0006592936.tif 000009
【図９】
0006592936.tif 000010